(57)【要約】【課題】確実に定位するスライドレール軸キャリア部品定位装置を提供する。【解決手段】キャリアレール２とスライド移動レール３との間にボール４１を有した軸キャリア部品４のスライドレール基本構造を設置し、それは軸キャリア部品４前端において凹口と凸ストッパー部とを設置し、キャリアレール２前端にはスライド移動レール３が接触スライド移動するサポート台５が設置され、サポート台５位置には揺動可能なストッパー部品６を設置し、ストッパー部品６はキャリアレール２上に固定されるガード台７に可動接続し、サポート台５とストッパー部品６との間は弾力作用を有し、該スライド移動レール３上には少なくとも１個のロック解除構造を設置する。【選択図】図２
0003123163.tif 000002
【実用新案登録請求の範囲】
【請求項１】
キャリアレール、スライド移動レール、及び軸キャリア部品を備え、
該軸キャリア部品はボールを有し、該スライド移動レールと該キャリアレールとの間においてスライド移動し、
該キャリアレール前端には該スライド移動レールが接触しスライド移動するサポート台を設置し、該サポート台にはストッパー部品を設置し、該ストッパー部品の片側端部にはストッパー体を形成し、ストッパー体の隣接側部は湾折し垂片を形成し、垂片の前後は斜凸縁が延伸し、該ストッパー体の外端には斜面を有し、内端には垂直面を形成し、該ストッパー部品は該ガード台に可動接続し、該ガード台は該キャリアレール前端に固定され、該サポート台局部を覆蓋し、該サポート台上には別に槽孔を形成し、該槽孔内側と該ストッパー部品側辺との間には弾力部品を有し、該サポート台と該ストッパー部品との間には弾性力が加わり、
該軸キャリア部品の前端には凹口を設置し内側において該凸ストッパー部を形成し、該凸ストッパー部の前端は斜面であり、後端は垂直面であって、
該軸キャリア部品が該サポート台位置まで移動すると、該軸キャリア部品の前端は該ガード台の圧迫を受け、該凸ストッパー部は該ストッパー部品の係合を受けることにより定位されることを特徴とするスライドレール軸キャリア部品定位装置。
【請求項２】
キャリアレール、スライド移動レール、及び軸キャリア部品を備え、
該軸キャリア部品はボールを有し、該スライド移動レールと該キャリアレールとの間においてスライド移動し、
該キャリアレールの前端には該スライド移動レールが接触しスライド移動するサポート台を設置し、該サポート台にはストッパー部品を設置し、該ストッパー部品の片側端部にはストッパー体を形成し、該ストッパー体の外端は斜面を有し、内端は垂直面を形成し、ストッパー体の隣接側部は湾折し垂片を形成し、垂片の前後は斜凸縁が延伸し、該サポート台上には別に槽孔を形成し、該槽孔の内側と該ストッパー部品の側辺との間には弾力部品を有し、該サポート台と該ストッパー部品との間には弾性力が加わり、該ストッパー部品は該ガード台に可動接続し、該ガード台は該キャリアレール前端に固定され、該サポート台の局部を覆蓋し、
該スライド移動レールは第一ロック解除部品を設置し、該第一ロック解除部品の前後端にはそれぞれ斜面を設置し、該第一ロック解除部品は該スライド移動レールが極限まで引き伸ばされた時対応するサポート台に固定され、
該軸キャリア部品の前端には凹口を設置し内側には該凸ストッパー部を形成し、前記凸ストッパー部の前端は斜面であり、後端は垂直面であって、
該スライド移動レールが該キャリアレールに相対して極限まで引き伸ばされた時、或いは該スライド移動レールが該キャリアレールに相対して挿入された時、該第一ロック解除部品により該ストッパー部品が連動し、該ストッパー部品が制御されて該凸ストッパー部に相対し離脱することを特徴とするスライドレール軸キャリア部品定位装置。
【請求項３】
キャリアレール、スライド移動レール、及び軸キャリア部品を備え、
該軸キャリア部品はボールを有し、該スライド移動レールと該キャリアレールとの間においてスライド移動し、
該キャリアレール前端には該スライド移動レールが接触しスライド移動するサポート台が設置され、該サポート台はストッパー部品が設置され、該ストッパー部品の片側端部にはストッパー体を形成し、該ストッパー体の外端には斜面を有し、内端には垂直面を形成し、該ストッパー体の隣接側部は湾折し垂片を形成し、該垂片の前後は斜凸縁が延伸し、該サポート台上には別に槽孔を形成し、該槽孔の内側と該ストッパー部品側辺との間には弾力部品を有し、該サポート台と該ストッパー部品との間には弾性力が加わり、該ストッパー部品は該ガード台に可動接続し、該ガード台は該キャリアレール前端に固定され、該サポート台の局部を覆蓋し、
該スライド移動レールは第一ロック解除部品を設置し、該第一ロック解除部品は該スライド移動レールが極限まで引き伸ばされた時対応するサポート台に固定され、該第一ロック解除部品の前後端にはそれぞれ斜面が設置され、該スライド移動レールの後端には第二ロック解除部品が設置され、該第二ロック解除部品はプレス成型により凸片型態を形成し、その前後端にはそれぞれ斜面が設置され、
該軸キャリア部品前端には凹口が設置され、内側において該凸ストッパー部を形成し、該凸ストッパー部の前端は斜面であり、後端は垂直面であって、
該スライド移動レールが該キャリアレールに相対し極限まで引き伸ばされた時、該第一ロック解除部品により該ストッパー部品が連動し、該ストッパー部品が制御されて該凸ストッパー部に相対して離脱し、該軸キャリア部品の活動は制限を受けることなく、該スライド移動レールが該キャリアレールに相対して挿入された時、該第二ロック解除部品により先ず該ストッパー部品が押され、該ストッパー部品の該軸キャリア部品に対する係合定位が解除されることを特徴とするスライドレール軸キャリア部品定位装置。
【請求項４】
キャリアレール、スライド移動レール、及び軸キャリア部品を備え、
該軸キャリア部品はボールを有し、該スライド移動レールと該キャリアレールとの間においてスライド移動し、
該キャリアレール前端には該スライド移動レールが接触しスライド移動するサポート台が設置され、該サポート台にはストッパー部品が設置され、該ストッパー部品の片側端部にはストッパー体を形成し、該ストッパー体は外端に斜面を有し、内端に斜面を形成し、該ストッパー体の隣接側部は湾折し垂片を形成し、該垂片の上には導キャップが被せられ、該サポート台上には槽孔が形成され、該槽孔内側と該ストッパー部品側辺との間には弾力部品を有し、該サポート台と該ストッパー部品との間には弾性力が加わり、該ストッパー部品は該ガード台に可動接続し揺動可能であり、該ガード台は該キャリアレール前端に固定され、該サポート台の局部を覆蓋し、
該スライド移動レール後端には制限体が設置され、該制限体の前後端にはそれぞれ斜面が設置され、
該軸キャリア部品前端には凹口が設置され、内側には凸ストッパー部が形成され、該凸ストッパー部前端は斜面であり、後端は斜面であって、
該ストッパー部品は該軸キャリア部品の凸ストッパー部に対応し少なくとも１つの斜面が設置され、該ストッパー部品は該軸キャリア部品の係合に対応して強制的に離脱し、該スライド移動レールが該キャリアレールより引き出され離脱すると、該スライド移動レールは該軸キャリア部品を連動して該サポート台位置まで移動させ、該軸キャリア部品前端は該ガード台の圧迫を受け、該凸ストッパー部は該ストッパー部品の係合を受けることにより一時的に定位され、該スライド移動レールは該キャリアレールに挿入され後端が該軸キャリア部品に挿入される時、該制限体は該ストッパー部品を押さえつけ、該軸キャリア部品の凸ストッパー部に緊密に接触し、該軸キャリア部品の離脱が一時的に制限されることを特徴とするスライドレール軸キャリア部品定位装置。
【考案の詳細な説明】
【技術分野】
【０００１】
本考案は一種のスライドレール軸キャリア部品定位装置に関する。特に一種の軸キャリア部品はストッパー部品の作用を受け定位され、しかもロック解除構造に対応し、スライドレールが極限まで引き伸ばされた時、或いは分離後再び挿入され組合わされる時、ロック解除構造によりストッパー部品の適時揺動を制御し、スライドレールの各異なる位置における制動時機に符合するスライドレール軸キャリア部品定位装置に係る。
【背景技術】
【０００２】
一般の引き出し或いは類似物が使用する伸縮スライド移動レールの典型的な構造は二節或いは三節のスライド移動レール部品を有し、一組或いは二組が該スライド移動レール部品上のレール道間の軸受けに嵌設されスライド移動を行うものである。通常は該軸受けは軸キャリア部品を利用し若干のボールをレール道中に設置して転がし、スライド移動レール部品に可動連接する。また、スライド移動レール上に設置される引き出し或いは類似物は、家具メーカーの組立て時或いは消費者の使用時共に、分解しなければならない時がある。そのためこのタイプのスライド移動レールの多くは離脱の機能を有している。
【０００３】
すなわち設計上は二節或いは三節のスライド移動レール部品の構造は共に、主に引き出し或いは類似物に連接する該節レール部品を引き出し分離することができる。さらに、引き離し後の再組立て、再設置の利便性と製品の正常な機能の維持のため、該レール部品において引き離し時には該スライド移動連接作用の該軸キャリア部品は相対嵌接する固定レール部品の前端に定位し、該レール部品は再び順調に軸キャリア部品中に挿入され、リニア排列を呈するボールレール跡上に導入されるようにし、引き離しの便を図る。
【０００４】
これら軸キャリア部品を該レール部品端に定位する公知技術は、台湾特許では公告第２５２３１６号、第４９１０５４号、第４９１０５５号、第４９８７３０号、第M２４８３１９号、M２６８９８５号、及び早期に公開された第２００４１２８８１号、また米国特許第３，８０１，１６６号、第４，２５２，３８２号、第５，４６６，０６０号、第５，５７７，８２１号、第５，７２２，７５０号、第６，１４５，９４５号、第６，２２０，６８３Ｂ１号、第６，２５４，２１０Ｂ１号、第６，２９６，３３８Ｂ１号、第６，３９０，５７５Ｂ１号、第６，６５５，７６３Ｂ２号、第６，７１５，８５１Ｂ１号、第６，８２０，９５４Ｂ２号、第６，８５１，７７３Ｂ２号、第６，８６０，５７４Ｂ２号、及び、米国特許申請早期公開第ＵＳ２００２／００８９２７３Ａ１号、第ＵＳ２００５／００１７６１３Ａ１号、第ＵＳ２００５／００６２３７９Ａ１号に開示されている。
【０００５】
前記軸キャリア部品を該レール部品端に定位する公知技術の大部分において、その定位は一種の「一時的」な弾性係合作用に属するため、軸キャリア部品は不注意により移動してしまう恐れがある。また若干の強制固定作用を有しる技術もあるが、ロック解除機構に対応する全体型態は明らかに適時でなく、現在の製品の操作型態のニーズに符合していない。
【考案の開示】
【考案が解決しようとする課題】
【０００６】
本考案は上記構造の問題点を解決したスライドレール軸キャリア部品定位装置を提供するものである。
【課題を解決するための手段】
【０００７】
上記課題を解決するため、本考案は下記のスライドレール軸キャリア部品定位装置を提供する。
それは主に一種のスライドレール軸キャリア部品定位装置を提供し、キャリアレールとスライド移動レールとの間にボールを有した軸キャリア部品のスライドレール基本構造を設置し、それは該軸キャリア部品前端において凹口と凸ストッパー部とを設置し、キャリアレール前端にはスライド移動レールが接触スライド移動するサポート台が設置され、サポート台位置には揺動可能なストッパー部品を設置し、該ストッパー部品はキャリアレール上に固定されるガード台に可動接続し、しかもサポート台とストッパー部品との間は弾力作用を有し、これによりストッパー部品の揺動は回復可能で、軸キャリア部品はサポート台位置まで移動し、しかもスライド移動レール離脱後、軸キャリア部品前端はガード台の圧迫接触を受けその凸ストッパー部はストッパー部品により引っ掛け押さえられて定位され、該スライド移動レール上には少なくとも１個のロック解除構造を設置し、スライド移動レールはキャリアレールに対応し極限まで引き伸ばされた時或いはスライド移動レールキャリアレールに対応し挿入された時、該ロック解除構造によりストッパー部品に対して連動作用を生じ、ストッパー部品の適時揺動を制御することができ、各異なる位置の制動時機に符合し、すなわち該軸キャリア部品が該ストッパー部品により係合定位される状態では適当な力を加え該軸キャリア部品を押すことにより自ら離脱し、この型態下で、本考案は該スライド移動レール上に制限体を設置し、該制限体は該スライド移動レールが該キャリアレールに挿入される初めは該ストッパー部品を押さえつけ、該軸キャリア部品に緊密に接触する作用により、該スライド移動レールは該キャリアレールに適当な距離だけ挿入された後、制限体は該ストッパー部品を離れ、該スライド移動レールは該軸キャリア部品の接触阻害力に対応し強制的に連動し定位を解除し、或いは該ロック解除構造により該ストッパー部品に対して揺動を生じさせ、ロック解除作用を発揮し、こうして該スライド移動レールは継続してキャリアレールを該活動可能な軸キャリア部品中に導入することを特徴とするスライドレール軸キャリア部品定位装置である。
【０００８】
（考案の効果）
上記のように、本考案は公知技術に比較し軸キャリア部品はストッパー部品により係合され、しかもガード台に対応し圧迫されるためその定位は確実である。さらにストッパー部品はガード台により保護され、不適当な使用によって変形、損壊することがない。またストッパー部品の駆動作動型態は異なるニーズに対応し、軸キャリア部品の定位效果を変化させることができ、使用の方式がフレキシブルである。
【考案を実施するための最良の形態】
【０００９】
本考案の第一実施例によるスライドレール軸キャリア部品定位装置では、図１及び図２に示すように、そのスライドレールは固定レール１、キャリアレール２、及びスライド移動レール３を備える三節式のレール体である。該固定レール１と該キャリアレール２との間にはレール体溝道内にそれぞれ設置する２個のボール軸受け１１を設置し、該キャリアレール２と該スライド移動レール３との間にはボール４１を有した軸キャリア部品４を設置する。
【００１０】
もし二節式スライドレールとするなら、ここでいう固定レール１とキャリアレール２との内１本のレール体を選びそのレール型を変化させ、軸キャリア部品４を内部に設置し定位装置（後述）と対応させ、スライド移動レール３を係合接続する。但し、該二節式スライドレール設計は公知の技術に属するためここでは詳述しない。
該軸キャリア部品４前端には凹口４２を設置し、該凹口４２内片側には凸ストッパー部４３を形成する。該凸ストッパー部４３前端は斜面４３１で、後端は垂直面４３２である。
【００１１】
該キャリアレール２前端にはスライド移動レール３が接触し、スライド移動するサポート台５を設置し、該サポート台５の位置にはストッパー部品６を設置する。該ストッパー部品６は軸ピン６０によりガード台７に可動接続し揺動可能で、該ガード台７は該キャリアレール２前端に固定され、該サポート台５の局部を覆蓋し、しかも該サポート台５と該ストッパー部品６との間は弾力作用を有し、これにより該ストッパー部品６の揺動は回復可能である。
【００１２】
具体的手段は該サポート台５上において槽孔５１を形成し、孔内片側には弾力部品５２を形成する。本第一実施例中では該弾力部品５２は弾力棒で、その棒体は該ストッパー部品６の可動接続軸心の片側に接触し、該ストッパー部品６の反対の片側端部にはストッパー体６１を形成し、該ストッパー体６１外端は斜面６１１を有し、内端には垂直面６１２を形成し、しかも該ストッパー体６１の隣接側部は湾折し垂片６２を形成し、該垂片６２の前後は斜凸縁６２１、６２２を延伸形成し、該ストッパー部品６上にはアーチ型アーム６３を形成し、これにより該サポート台５の辺壁への接触に有利となる。また該ストッパー体６１も該アーチ型アーム６３の盛り上がりにより高度が等しくなり、該ガード台７上には該アーチ型アーム６３部位の定位に適した開口７１を設置する。
【００１３】
該スライド移動レール３上には少なくとも１個のロック解除構造を設置する。図１に示すように、その第一ロック解除部品８は適当な長さの長方形体で、該スライド移動レール３の内面にリベット固定し、しかも該スライド移動レール３が極限まで引き伸ばされた時の該サポート台５の位置に対応し設定することができる。該第一ロック解除部品８の前後端には斜面８１、８２をそれぞれ設置し、さらに該スライド移動レール３内面には別のロック解除構造を設置することができる。これが第二ロック解除部品３１で、該第二ロック解除部品３１はレール体そのものをプレスし凸片型態を成型し、その前後端には斜面３１１、３１２を設置し、位置は該スライド移動レール３の後端に近い位置を選択する。
この第一実施例の設計により、該スライド移動レール３が該キャリアレール２に対応し引き出され伸展する時、該スライド移動レール３は該軸キャリア部品４のボール４１の回転動により、両者が連動関係を有し、しかも該スライド移動レール３は該軸キャリア部品４の移動距離の約２倍の移動を行う。
【００１４】
この種のスライドレール設計においては一般には、該スライド移動レール３が完全に引き伸ばされた時、その軸キャリア部品４は適宜該サポート台５の位置に到達するよう考慮される。そのため、図３に示すように、該スライド移動レール３を該キャリアレール２に対応し一定の距離を引き伸ばした後、該軸キャリア部品４が該サポート台５に到達する前に、該スライド移動レール３上の第一ロック解除部品８の前端位置は該軸キャリア部品４の前端を先に超え、早目に該ストッパー部品６に接触する。
また図４に示すように、該第一ロック解除部品８前端が該ストッパー部品６に到達する時、該第一ロック解除部品８前端の斜面８１は該ストッパー部品６の垂片６２に対応してスライド接触し、順調に該ストッパー部品６を押して揺動させ、これにより該ストッパー体６１は元の位置を離れる。
【００１５】
続いて図５に示すように、該スライド移動レール３が極限まで引き伸ばされ定位される時（引き伸ばし定位機構に関しては本考案の請求ではないため詳述しない）、該第一ロック解除部品８は該ストッパー部品６への押し接触を保持し、該ストッパー体６１を斜めに上がらせる。この状態下で該軸キャリア部品４は該サポート台５に接近している。図５に示すように、該軸キャリア部品４と該サポート台５との間にはなお空隙を保留しているが、行程の計画上、該軸キャリア部品４はちょうど該サポート台５に接触する。また受け容れ可能な理に適った設計により、該第一ロック解除部品８は該ストッパー部品６を押し続けるため、該ストッパー体６１は該軸キャリア部品４の凸ストッパー部４３に接触しない。こうして、該軸キャリア部品４は制限を受けない活動状態を保持し、該スライド移動レール３は該キャリアレール２に対応し極限まで引き伸ばされ、或いは押し入れられ収納される時、制限を受けない状態で該スライド移動レール３に連動されスムーズに移動する。
【００１６】
該スライド移動レール３が該キャリアレール２に相対し離脱し引き出される時、図６に示すように、該スライド移動レール３が再び離脱し引き出されると、該軸キャリア部品４は連動され該サポート台５に接触する。しかも該第一ロック解除部品８が該ストッパー部品６から離脱後、該ストッパー部品６もまた自動的に回復し、該ストッパー体６１により該軸キャリア部品４の凸ストッパー部４３に掛かり、この状態下で、該軸キャリア部品４は制限を受け後退不能となる。さらに図７に示すように、該軸キャリア部品４の前端両側の壁部４４は該ガード台７後端下方に進入し圧迫され、これにより該軸キャリア部品４の凸ストッパー部４３は法線方向の移動を行わないため、該凸ストッパー部４３は該ストッパー体６１を越えず、よって固定の効果が失われることがない。これにより該スライド移動レール３が引き出されて離脱後（この状態は図示なし）の軸キャリア部品４は安定的に該サポート台５位置において定位される。
【００１７】
続いて図８に示すように、該スライド移動レール３が該キャリアレール２に対応し再挿入される時、該スライド移動レール３の後半部は該サポート台５を貫通し、局部は先に該軸キャリア部品４中に挿入される。しかも該スライド移動レール３上に位置する第二ロック解除部品３１は後端の斜面３１２により該ストッパー部品６の垂片６２に接触し、スライドし圧迫接触する時、図９に示すように、そのストッパー体６１は連動され、該軸キャリア部品４の凸ストッパー部４３を離脱する。これにより該軸キャリア部品４の定位制限を自動的に解除後、図１０に示すように、該スライド移動レール３において継続して押され、該軸キャリア部品４は制限を受けない活動状態により、該スライド移動レール３の連動に従い移動する。
【００１８】
また該軸キャリア部品４は該ストッパー部品６の係合定位の状態により、適当な力で該軸キャリア部品４を押して自動的に離脱させることができる。第二実施例では図１１に示すように、該軸キャリア部品４は該凸ストッパー部４３後端に斜面４３３を設置し、或いは第三実施例では図１２に示すように、該ストッパー部品６は該ストッパー体６１内端に斜面６１３を設置し、或いは第四実施例では図１３に示すように、該軸キャリア部品４の凸ストッパー部４３後端には斜面４３３を設置し、しかも該ストッパー部品６のストッパー体６１内端にも斜面６１３を設置し、この応用変化の斜面構造により、該軸キャリア部品４の凸ストッパー部４３は該ストッパー部品６のストッパー体６１に対応し、その両者の係合力量は斜面傾斜角度の適当な設計を利用し制御され、こうして製品は異なる状況における必要に適した状態を確保することができる。
【００１９】
また、該軸キャリア部品４が該ストッパー部品６に相対し適時に自身で離脱する方式に対応し、第五実施例では先ず図１４に示すように、該ストッパー部品６の変化設計に対して、該ストッパー部品６の端部の垂片６２’上に導キャップ６４を被せる。また図１５に示すように、該スライド移動レール３上に制限体９を設置し、該制限体９の具体的実施手段は該スライド移動レール３の後端がプレス成型加工により圧板構造を形成し、該圧板型式の制限体９の前後端には斜面９１、９２を設置する。また、第六実施例として図１７に示すように、別に製造した制限体９’は該スライド移動レール３の後端に組合わされ、該制限体９’の前後端は斜面９１’、９２’を設置する。これにより、図１６に示すように、プレス成型の制限体９を例とすると、該スライド移動レール３は該キャリアレール２に挿入され、該スライド移動レール３後端が該軸キャリア部品４にやや挿入される時、該制限体９は該ストッパー部品６の導キャップ６４を圧迫し、そのストッパー体６１は該軸キャリア部品４の凸ストッパー部４３に緊密に接触し、該軸キャリア部品４を制限し一時的に自身で離脱不能とする。さらに、該スライド移動レール３は該軸キャリア部品４に適当な深度で挿入され、挿入接続の不適当によりレールが離脱することを防止する。また該スライド移動レール３に該軸キャリア部品４を継続し挿入後、該制限体９が該ストッパー部品６の導キャップ６４を離脱することにより、該ストッパー部品６のストッパー体６１は該軸キャリア部品４の凸ストッパー部４３の係合状態に対応し、スライド移動レール３により該軸キャリア部品４の接触阻害力に対応し、力付くで自ら解除されるほかに、該スライド移動レール３の該軸キャリア部品４に対する対応の差が比較的大きく、その接触阻害力が比較的小さくその係合定位状態を解除するために十分でない時には、前記のロック解除動作に対応し、該第二ロック解除部品３１により該ストッパー部品６を押し、該軸キャリア部品４の定位制限を解除する。
【００２０】
この他、前記のサポート台５とストッパー部品６との間に有しる弾力作用は具体的には弾力部品５２の設置により達成する。前記実施例は該サポート台５上に弾力棒状の弾力部品５２を形成し、該ストッパー部品６に弾力接触し、この作用と同等な効果がある第七実施例である図１８、１９図に示すように、該ストッパー部品６において可動接続軸心側辺は弾力アーム状の弾力部品６５を延伸し、該弾力部品６５は該サポート台５が収容される槽孔５３の辺側に接触し、これによっても同様に該ストッパー部品６に弾性回復の作用を提供することができる。
【図面の簡単な説明】
【００２１】
【図１】本考案の第一実施例によるスライドレール軸キャリア部品定位装置の分解斜視図である。
【図２】本考案の第一実施例によるスライドレール軸キャリア部品定位装置の局部構造を示す分解斜視図である。
【図３】本考案の第一実施例によるスライドレール軸キャリア部品定位装置の引き伸ばし作動状態を示す模式図である。
【図４】本考案の第一実施例によるスライドレール軸キャリア部品定位装置の引き伸ばし作動状態を示す模式図である。
【図５】本考案の第一実施例によるスライドレール軸キャリア部品定位装置の引き伸ばし作動状態を示す模式図である。
【図６】本考案の第一実施例によるスライドレール軸キャリア部品定位装置の離脱作動状態を示す模式図である。
【図７】本考案の第一実施例によるスライドレール軸キャリア部品定位装置の軸キャリア部品定位状態を示す斜視図である。
【図８】本考案の第一実施例によるスライドレール軸キャリア部品定位装置の挿入接続作動状態を示す模式図である。
【図９】本考案の第一実施例によるスライドレール軸キャリア部品定位装置の挿入接続作動状態を示す模式図である。
【図１０】本考案の第一実施例によるスライドレール軸キャリア部品定位装置の挿入接続作動状態を示す模式図である。
【図１１】本考案の第二実施例によるスライドレール軸キャリア部品定位装置の局部構造を示す側面図である。
【図１２】本考案の第三実施例によるスライドレール軸キャリア部品定位装置の局部構造を示す側面図である。
【図１３】本考案の第四実施例によるスライドレール軸キャリア部品定位装置の局部構造を示す側面図である。
【図１４】本考案の第五実施例によるスライドレール軸キャリア部品定位装置の局部構造を示す分解斜視図である。
【図１５】本考案の第五実施例によるスライドレール軸キャリア部品定位装置の局部構造を示す斜視図である。
【図１６】本考案の第五実施例によるスライドレール軸キャリア部品定位装置の挿入接続作動状態を示す模式図である。
【図１７】本考案の第六実施例によるスライドレール軸キャリア部品定位装置の局部構造を示す斜視図である。
【図１８】本考案の第七実施例によるスライドレール軸キャリア部品定位装置の局部構造を示す分解斜視図である。
【図１９】本考案の第七実施例によるスライドレール軸キャリア部品定位装置の局部構造を示す側面図である。
【符号の説明】
【００２２】
１  固定レール、２  キャリアレール、３  スライド移動レール、３１  第二ロック解除部品、３１１  斜面、３１２  斜面、４  軸キャリア部品、４１  ボール、４２  凹口、４３  凸ストッパー部、４３１  斜面、４３２  垂直面、４４  斜面、４４  壁部、５  サポート台、５１  槽孔、５２  弾力部品、５３  槽孔、６  ストッパー部品、６０  軸ピン、６１  ストッパー体、６１１  斜面、６１２  垂直面、６２  垂片、６２’  垂片、６２１  斜凸縁、６２２  斜凸縁、６３  アーチ型アーム、６４  導キャップ、６５  弾力部品、７  ガード台、７１  開口、８  第一ロック解除部品、８１  斜面、８２  斜面、９  制限体、９１  斜面、９２  斜面、９’  制限体、９１’  斜面、９２’  斜面
【図１】
0003123163.tif 000003
【図２】
0003123163.tif 000004
【図３】
0003123163.tif 000005
【図４】
0003123163.tif 000006
【図５】
0003123163.tif 000007
【図６】
0003123163.tif 000008
【図７】
0003123163.tif 000009
【図８】
0003123163.tif 000010
【図９】
0003123163.tif 000011
【図１０】
0003123163.tif 000012
【図１１】
0003123163.tif 000013
【図１２】
0003123163.tif 000014
【図１３】
0003123163.tif 000015
【図１４】
0003123163.tif 000016
【図１５】
0003123163.tif 000017
【図１６】
0003123163.tif 000018
【図１７】
0003123163.tif 000019
【図１８】
0003123163.tif 000020
【図１９】
0003123163.tif 000021